(57)【要約】【課題】長さの異なる数種類のフェルール端子においても接点部との接続が正しく完了しているか否かを識別することが可能な技術を提供する。【解決手段】電線用接続器具は、電線５０に取り付けられたフェルール端子５１が挿入される電線挿入口１１を有する端子カバー（筐体）１０と、端子カバー１０の内部にフェルール端子５１の挿入方向に沿って配置された接点部２３ｄと、端子カバー１０の内部に電線挿入口１１を通して挿入されたフェルール端子５１を接点部２３ｄに弾性力で押し付ける板ばね（弾性部材）２１と、端子カバー１０の内部に電線挿入口１１を通して挿入されたフェルール端子５１の挿入方向の位置を決める挿入端子位置決め部３５ａと、フェルール端子５１が挿入端子位置決め部３５ａで位置決めされた状態を長さの異なる数種類のフェルール端子５１（５１ａ，５１ｂ）に対応して表示可能な位置決め状態表示部４１と、を備えている。【選択図】図８
2020004496.tif 000002
【特許請求の範囲】
【請求項１】
電線に取り付けられたフェルール端子が挿入される電線挿入口を有する筐体と、
前記筐体の内部に前記フェルール端子の挿入方向に沿って配置された接点部と、
前記筐体の内部に前記電線挿入口を通して挿入された前記フェルール端子を前記接点部に弾性力で押し付ける弾性部材と、
前記筐体の内部に前記電線挿入口を通して挿入された前記フェルール端子の前記挿入方向の位置を決める挿入端子位置決め部と、
前記フェルール端子が前記挿入端子位置決め部で位置決めされた状態を長さの異なる数種類の前記フェルール端子に対応して表示可能な位置決め状態表示部と、
を備えていることを特徴とする電線用接続器具。
【請求項２】
前記位置決め状態表示部は、前記筐体に、前記挿入方向において前記挿入端子位置決め部からの距離が異なるように設けられた３つ以上の面で構成されていることを特徴とする請求項１に記載の電線用接続器具。
【請求項３】
前記位置決め状態表示部は、前記３つ以上の面で規定された２つ以上の段差で構成されていることを特徴とする請求項２に記載の電線用接続器具。
【請求項４】
前記３つ以上の面は、前記フェルール端子の前記挿入方向と直交する方向に位置がずれていることを特徴とする請求項２に記載の電線用接続器具。
【請求項５】
前記挿入端子位置決め部は、前記筐体の内部に前記電線挿入口を通して挿入された前記フェルール端子の先端と対向する位置に設けられ、前記フェルール端子の先端が突き当たったときに位置決めすることを特徴とする請求項１乃至請求項４の何れか一項に記載の電線用接続器具。
【請求項６】
請求項１乃至請求項５の何れか一項に記載の電線用接続器具を備えていることを特徴とする電気機器。
【発明の詳細な説明】
【技術分野】
【０００１】
本発明は、電線用接続器具及び電気機器に関し、特に、電線に圧着されたフェルール端子が挿入される電線用接続器具及びそれを備えた電気機器に適用して有効な技術に関するものである。
【背景技術】
【０００２】
近年、回路遮断器や電磁接触器などの電気機器では、例えば特許文献１に開示されているように、筐体の電線挿入口に電線を挿入することにより、電線の保持及び電線との電気的な接続が完了するスプリング端子が採用されている。スプリング端子は、主に、接点部を有する端子板と、電線挿入口を通して筐体の内部に挿入された電線を接点部に弾性力で押し付ける弾性部材とを備えている。
【先行技術文献】
【特許文献】
【０００３】
【特許文献１】特許第５５３９８０９号明細書
【発明の概要】
【発明が解決しようとする課題】
【０００４】
ところで、スプリング端子への電線の接続においては、電線に圧着されたフェルール端子を用いることがある。このフェルール端子は、接点部に弾性部材の弾性力で押し付けられることにより接点部との接続が完了する。
しかしながら、フェルール端子と接点部との接続は筐体の内部で行われるため、フェルール端子と接点部との接続が正しく完了しているか否かを識別することが困難であった。特に、フェルール端子は、電線の太さにより長さが異なるため、フェルール端子と接点部との接続が正しく完了しているか否かの識別は重要である。
【０００５】
本発明の目的は、長さの異なる数種類のフェルール端子においても接点部との接続が正しく完了しているか否かを識別することが可能な技術を提供することにある。
【課題を解決するための手段】
【０００６】
上記目的を達成するため、本発明の一態様に係る電線用接続器具は、電線に取り付けられたフェルール端子が挿入される電線挿入口を有する筐体と、筐体の内部にフェルール端子の挿入方向に沿って配置された接点部と、筐体の内部に電線挿入口を通して挿入されたフェルール端子を接点部に弾性力で押し付ける弾性部材と、筐体の内部に電線挿入口を通して挿入されたフェルール端子の挿入方向の位置を決める挿入端子位置決め部と、フェルール端子が挿入端子位置決め部で位置決めされた状態を長さの異なる数種類のフェルール端子に対応して表示可能な位置決め状態表示部と、を備えている。
また、本発明の一態様に係る電気機器は、上記電線用接続器具を備える。
【発明の効果】
【０００７】
本発明の一態様に係る電線用接続器具によれば、長さの異なる数種類のフェルール端子においても接点部との接続が正しく完了しているか否かを識別することが可能となる。
【図面の簡単な説明】
【０００８】
【図１】本発明の一実施形態に係る回路遮断器の外観を示す斜視図である。
【図２】本発明の一実施形態に係る電線用接続器具の外観を示す斜視図である。
【図３】電線接続器具の端子カバー及び端子モジュールを示す分解斜視図である。
【図４】端子モジュールの端子ブロック、端子板、弾性部材を示す分解斜視図である。
【図５】端子ブロックの平面図である。
【図６】図５のII−II線に沿った断面構造を示す斜視図である。
【図７】端子モジュールの平面図である。
【図８】図７のIII−III線に沿った断面構造を示す要部断面図である。
【図９】電線用接続器具の電線挿入空間部に第１フェルール端子を挿入した状態を示す要部断面図である。
【図１０】電線用接続器具の電線挿入空間部に第２フェルール端子を接続した状態を示す要部断面図である。
【図１１】電線が接続された第１及び第２のフェルール端子を示す斜視図である。
【発明を実施するための形態】
【０００９】
以下、本発明の実施形態について図面を参照しながら説明する。
なお、各図面は模式的なものであって、現実のものとは異なる場合がある。また、以下の実施形態は、本発明の技術的思想を具体化するための装置や方法を例示するものであり、構成を下記のものに特定するものではない。すなわち、本発明の技術的思想は、特許請求の範囲に記載された技術的範囲内において、種々の変更を加えることができる。
以下の実施形態では、電気機器としての回路遮断器に取り付けられる電線用接続器具に本発明を適用した例について説明する。
以下の実施形態では、空間内で互に直交する三方向において、同一平面内で互に直交する第１の方向及び第２の方向をそれぞれＸ方向、Ｙ方向とし、第１の方向及び第２の方向のそれぞれと直交する第３の方向をＺ方向とする。
【００１０】
≪回路遮断器≫
図１に示す回路遮断器１は、図示していないが、３極型の主回路接点と、短絡事後等で過電流が流れたときに主回路接点をトリップ状態に動作させる過電流引外し装置と、主回路接点の開閉動作を行うトグルリンク機構とを備えている。
回路遮断器１は、Ｘ方向の一端側が電源側（一次側又はライン側）であり、Ｘ方向の他端側が負荷側（二次側又はロード側）である。この回路遮断器１のＸ方向の一端側では、３極の電源側接点端子（ねじ端子）に電線用接続器具２Ａが着脱自在に取り付けられている。また、この回路遮断器１のＸ方向の他端側では、３極の負荷側接点端子（ねじ端子）に電線用接続器具２Ａと同一構造の電線用接続器具２Ｂが着脱自在に取り付けられている。
【００１１】
回路遮断器１のＺ方向の上面にはレバー開口部３が設けられており、このレバー開口部３からトグルリンク機構を操作する操作レバー４が外部に突出している。
図１に示すように、操作レバー４がレバー開口部３の長手方向の一端側で突出しているときには、トグルリンク機構が主回路接点を閉極（ＯＮ位置）としている。操作レバー４がレバー開口部３の長手方向の他端側で突出しているときには、トグルリンク機構が主回路接点を開極（ＯＦＦ位置）としている。
【００１２】
≪電線用接続器具≫
電源側の電線用接続器具２Ａは、図２及び図３に示すように、筐体としての端子カバー１０と、この端子カバー１０に組付けられる端子モジュール２０とを備えている。また、電源側の電線用接続器具２Ａは、図８に示すように、接点部２３ｄを有する端子板２３と、弾性部材としての第１板ばね２１と、挿入端子位置決め部３５ａと、第１位置決め状態表示部４１とを更に備えている。端子板２３及び第１板ばね２１は、端子カバー１０の第１電線挿入口１１から端子カバー１０の内部に、電線５０に取り付けられたフェルール端子５１を挿入することにより、フェルール端子５１の保持及びフェルール端子５１との電気的な接続が完了するスプリング端子を構成する。なお、負荷側の電線用接続器具２Ｂは電源側の電線用接続器具２Ａと同一構造であることから、この負荷側の電線用接続器具２Ｂについての説明は省略する。
【００１３】
≪端子モジュール≫
端子モジュール２０は、図３及び図４に示すように、３個の第１板ばね２１と、第１板ばね２１に対して大きさが異なる３個の第２板ばね２２と、３個の端子板２３と、端子ブロック３０とを備えている。
【００１４】
≪第１及び第２板ばね≫
第１板ばね２１は、例えば帯状の金属板を所定の形状に加工した可撓性金属部材である。そして、第１板ばね２１は、図４に示すように、平板状の固定部２１ａと、この固定部２１ａの長手方向端部に曲げ部２１ｂを介して略Ｖ字状に連結する平板状の保持部２１ｃとを備えている。
第２板ばね２２は、例えば第１板ばね２１に対して形状が同一で大きさが小さい帯状の金属板を所定の形状に加工した可撓性金属部材である。そして、第２板ばね２２は、第１板ばね２１と同様に、平板状の固定部２２ａと、この固定部２２ａの長手方向端部に曲げ部２２ｂを介して略Ｖ字状に連結する平板状の保持部２２ｃとを備えている。
【００１５】
≪端子板≫
端子板２３は、図４に示すように、ねじ孔２３ａ１が設けられたねじ接続部２３ａと、ねじ接続部２３ａから直角に屈曲する第１導体部２３ｂと、第１導体部２３ｂからねじ接続部２３ａに対して平行で離れる方向に直角に屈曲する第２導体部２３ｃと、第１導体部２３ｂと平行に対向するように第２導体部２３ｃから互に離間して直角に屈曲する２つの接点部２３ｄ，２３ｄとを備えている。ねじ接続部２３ａは、回路遮断器１の主回路側の接点端子にねじ固定で接続される。
【００１６】
≪端子ブロック≫
端子ブロック３０は、樹脂などの絶縁性材料を主体に形成されている。そして、端子ブロック３０は、図４及び図５に示すように、Ｙ方向に一列に配置された第１ブロック３０ａ、第２ブロック３０ｂ及び第３ブロック３０ｃを備えている。
第１〜第３ブロック３０ａ〜３０ｃの各々は、Ｙ方向において互に隣り合って配置された第１電線挿入空間部３１及び第２電線挿入空間部３２を備えている。第１及び第２電線挿入空間部３１，３２の各々は、Ｘ方向において各々の壁面が互に向かい合って離間した正面壁３４ａ及び背面壁３４ｂと、Ｙ方向において各々の壁面が互に向かい合って離間し、かつ正面壁３４ａ及び背面壁３４ｂの各々に連結された２つの側面壁３４ｃ，３４ｄとで周囲を囲まれている。そして、第１及び第２電線挿入空間部３１，３２の各々の内部には、壁面が主にＺ方向を向いて４つの壁（正面壁３４ａ，背面壁３４ｂ，側面壁３４ｃ及び３４ｄ）の各々に連結された内壁３５が設けられている。
【００１７】
図６に示すように、第１電線挿入空間部３１の内壁３５は、背面壁３４ｂ側から正面壁３４ａ側に向かって第１電線挿入空間部３１が徐々に広くなるように傾斜している。そして、内壁３５の正面壁３４ａ側の先端は、後で詳細に説明するが、Ｘ方向に延伸する平面形状の挿入端子位置決め部３５ａとして構成されている。なお、第２電線挿入空間部３２の内壁３５においても、第１電線挿入空間部３１の内壁３５と同様の構成になっている。
【００１８】
≪板ばね及び端子板の装着≫
図４に示すように、第１〜第３ブロック３０ａ〜３０ｃの各々には、第１板ばね２１、第２板ばね２２及び端子板２３が装着されている。第１板ばね２１、第２板ばね２２及び端子板２３は、第１〜第３ブロック３０ａ〜３０ｃの各々において同様の配置構成になっているので、第１板ばね２１、第２板ばね２２及び端子板２３の配置については、第１ブロック３０ａを例示して説明し、第２ブロック３０ｂ及び第３ブロック３０ｃでの説明は省略する。
【００１９】
図８に示すように、第１ブロック３０ａの第１電線挿入空間部３１には、第１板ばね２１と、端子板２３とが装着されている。端子板２３は、ねじ接続部２３ａ及び第１導体部２３ｂが第１電線挿入空間部３１の外に位置し、第２導体部２３ｃが第１電線挿入空間部３１の外に位置し、接点部２３ｄが正面壁３４ａと挿入端子位置決め部３５ａとの間を通ってＺ方向に延在するように配置されて第１電線挿入空間部３１の中に位置している。第１板ばね２１は、固定部２１ａが端子板２３の第１導体部２３ｂと背面壁３４ｂとの間に差し込まれ、曲げ部２１ｂの湾曲内側に背面壁３４ｂの上部が位置し、かつ保持部２１ｃが第１電線挿入空間部３１を横切るように配置されている。
【００２０】
第１ブロック３０ａの第２電線挿入空間部３２には、第２板ばね２２と、端子板２３とが装着されている。この端子板２３及び第２板ばね２２は、詳細に図示していないが、第１電線挿入空間部３１と同様にして第２電線挿入空間部３２に配置されている。
なお、第２及び第３ブロック３０ｂ，３０ｃにおいても、第１ブロック３０ａと同様の配置で第１板ばね２１、第２板ばね２２及び端子板２３が装着されている。
【００２１】
≪端子カバー≫
図２、図３及び図７に示すように、端子カバー１０は、壁面がＸ方向を向いた正面壁１０ａと、Ｙ方向において各々の壁面が互いに向かい合って離間し、かつ各々が正面壁１０ａに連結された２つの側面壁１０ｃ，１０ｄと、壁面がＺ方向を向いて正面壁及び２つの側面壁の各々に連結された上面壁１０ｅとを備え、これらの正面壁１０ａ、２つの側面壁１０ｃ，１０ｄ及び上面壁１０ｅで囲まれた空間部に端子ブロック３０を収納している。
端子カバー１０は、第１電線挿入口１１及び第２電線挿入口１２を備えている。第１電線挿入口１１及び第２電線挿入口１２は、端子ブロック３０の第１〜第３ブロック３０ａ，３０ｂ，３０ｃ毎に設けられ、Ｙ方向に沿って配置されている。また、端子カバー１０は、第１電線挿入口１１及び第２電線挿入口１２に対応してＸ方向に近接する位置に設けられた工具挿入孔１３を備えている。
【００２２】
第１電線挿入口１１は、図８に示すように、端子カバー１０の上面壁１０ｅからＺ方向に沿って延伸し、端子カバー１０の内部と連結されている共に、端子カバー１０の内部に収納された端子ブロック３０の第１電線挿入空間部３１と連結されている。そして、第１電線挿入口１１のＺ方向の延長線上には、第１板ばね２１の保持部２１ｃ、端子板２３の接点部２３ｄ及び挿入端子位置決め部３５ａが配置されている。端子板２３の接点部２３ｄは、端子カバー１０の内部に第１電線挿入口１１を通して挿入されるフェルール端子５１の挿入方向（Ｚ方向）に沿って配置されている。第１板ばね２１は、端子カバー１０の内部に第１電線挿入口１１を通して挿入されたフェルール端子５１を接点部２３ｄに弾性力で押し付ける。挿入端子位置決め部３５ａは、端子カバー１０の内部に第１電線挿入口１１を通して挿入されたフェルール端子５１の挿入方向（Ｚ方向）の位置決めを行う。
【００２３】
第２電線挿入口１２は、詳細に図示していないが、第１電線挿入口１１と同様に、端子カバー１０の上面壁１０ｅからＺ方向に沿って延伸し、端子カバー１０の内部と連結されている共に、端子カバー１０の内部に収納された端子ブロック３０の第２電線挿入空間部３２と連結されている。そして、第２電線挿入口１２のＺ方向の延長線上には、第１電線挿入口１１と同様に、第２板ばね２２の保持部２２ｃ、端子板２３の接点部２３ｄ及び挿入端子位置決め部３５ａが配置されている。
第１電線挿入口１１及び第２電線挿入口１２は、各々の上部の一部が連結され、各々の下部が分離された構造になっている。そして、第１電線挿入口１１及び第２電線挿入口１２は、隣り合う他の第１電線挿入口１１及び第２電線挿入口１２と隔壁１４を介して分離されている。
【００２４】
≪フェルール端子≫
第１及び第２電線挿入口１１，１２に挿入される電線５０には、図１１（ａ），（ｂ）に示すように、フェルール端子５１が圧着により取り付けられている。フェルール端子５１は、より線のバラけ（四散）を防止し、電気的接続の品質を安定させるための棒形圧着端子である。フェルール端子５１は、これに限定されないが、棒状の端子部５２と、この端子部５２に連なるカラ―部５３とを有する。そして、フェルール端子５１は、カラ―部５３の電線側の端が基端５３ａとなる。
【００２５】
フェルール端子５１は、電線５０の太さによって全長が変わる。例えば、図１１（ａ），（ｂ）に示すように、太さが異なる電線５０ａ及び５０ｂ（直径Ｄ１＜直径Ｄ２）において、太い電線５０ｂのフェルール端子５１ｂの全長Ｌ２は、細い電線５０ａのフェルール端子５１ａの全長Ｌ１よりも長くなることが多い。また、細い電線５０ａにおいてもフェルール端子５１ａの全長Ｌ１が長いものもある。
【００２６】
≪位置決め状態表示部≫
図２及び図７に示すように、端子カバー１０は、第１電線挿入口１１及び第２電線挿入口１２に対応して設けられた第１位置決め状態表示部４１及び第２位置決め状態表示部４２を更に備えている。第１位置決め状態表示部４１は、フェルール端子５１が挿入端子位置決め部３５ａで位置決めされた状態を長さの異なる数種類のフェルール端子５１に対応して表示可能になっている。この実施形態において、第１位置決め状態表示部４１は、これに限定されないが、図１１（ａ），（ｂ）に示す、長さの異なるフェルール端子５１ａ及び５１ｂに対応して表示可能になっている。また、第１位置決め状態表示部４１は、端子カバー１０に、フェルール端子５１の挿入方向（Ｚ方向）において挿入端子位置決め部３５ａからの距離が異なるように設けられた３つ以上の面で構成されている。この実施形態において、第１位置決め状態表示部４１は、これに限定されないが、長さの異なるフェルール端子５１ａ及び５１ｂに対応して、図２、図７〜図１０に示すように、端子カバー１０に、フェルール端子５１ａ，５１ｂの挿入方向（Ｚ方向）において挿入端子位置決め部３５ａからの距離が異なるように設けられた第１の面４３ａ、第２の面４３ｂ及び第３の面４３ｃで構成されている。この第１〜第３の面４３ａ，４３ｂ，４３ｃは、フェルール端子５１ａ，５１ｂの挿入方向に直交している。
【００２７】
また、第１位置決め状態表示部４１は、図９に示すように、フェルール端子５１ａが挿入端子位置決め部３５ａにより位置決めされた状態でフェルール端子５１ａの基端５３ａが第１の面４３ａと第２の面４３ｂとの間に配置されるように段差Ｓ１の高さが設定されている。また、第１位置決め状態表示部４１は、図１０に示すように、フェルール端子５１ｂが挿入端子位置決め部３５ａにより位置決めされた状態でフェルール端子５１ｂの基端５３ａが第２の面４３ｂと第３の面４３ｃとの間に配置されるように段差Ｓ２の高さが設定されている。
なお、第２位置決め状態表示部４２も、第１位置決め状態表示部４１と同様の構成になっている。
【００２８】
≪実施形態の効果≫
第１電線挿入口１１に電線５０ａが差し込まれて端子カバー１０の内部に図１１（ａ）のフェルール端子５１ａが挿入されると、図９に示すように、フェルール端子５１ａの端子部５２に押されて第１板ばね２１が弾性変形する。そして、第１板ばね２１の保持部２１ｃと端子板２３の接点部２３ｄとの間にフェルール端子５１ａの端子部５２が挿入されると、第１板ばね２１の弾性力によってフェルール端子５１ａの端子部５２が接点部２３ｄに押し付けられ、かつ引き抜き方向の変位が抑制される。
このとき、フェルール端子５１ａは、端子部５２の先端が挿入端子位置決め部３５ａに当接し、この位置でフェルール端子５１ａの挿入方向（Ｚ方向）の位置決めがなされる。これにより、フェルール端子５１ａと接点部２３ｄとの接続が正しく完了する。
【００２９】
また、このとき、第１位置決め状態表示部４１は、フェルール端子５１ａが挿入端子位置決め部３５ａにより位置決めされた状態でフェルール端子５１ａの基端５３ａが第１の面４３ａと第２の面４３ｂとの間に配置されるように段差Ｓ１の高さが設定されているので、フェルール端子５１ａの基端５３ａが投影的に第１の面４３ａと第２の面４３ｂとの間に配置される。したがって、フェルール端子５１ａと接点部２３ｄとの接続が正しく完了しているか否かを視覚的に識別することができる。すなわち、フェルール端子５１ａの基端５３ａが第１の面４３ａと第２の面４３ｂとの間に位置するときは、所定の許容範囲でフェルール端子５１ａと接点部２３ｄとの接続が正しく完了していることを示し、フェルール端子５１ａの基端５３ａが第２の面４３ｂよりも飛び出ているときには、フェルール端子５１ａと接点部２３ｄとの接続が正しく完了していないことを示す。
【００３０】
一方、第１電線挿入口１１に電線５０ｂが差し込まれて端子カバー１０の内部に図１１（ｂ）のフェルール端子５１ｂが挿入されると、図１０に示すように、フェルール端子５１ｂの端子部５２に押されて第１板ばね２１が弾性変形する。そして、第１板ばね２１の保持部２１ｃと端子板２３の接点部２３ｄとの間にフェルール端子５１ｂの端子部５２が挿入されると、第１板ばね２１の弾性力によってフェルール端子５１ｂの端子部５２が接点部２３ｄに押し付けられ、かつ引き抜き方向の変位が抑制される。
このとき、フェルール端子５１ｂは、端子部５２の先端が挿入端子位置決め部３５ａに当接し、この位置でフェルール端子５１ｂの挿入方向（Ｚ方向）の位置決めがなされる。これにより、フェルール端子５１ｂと接点部２３ｄとの接続が正しく完了する。
【００３１】
また、このとき、第１位置決め表示部４１は、フェルール端子５１ｂが挿入端子位置決め部３５ａにより位置決めされた状態でフェルール端子５１ｂの基端５３ａが第２の面４３ｂと第３の面４３ｃとの間に配置されるように段差Ｓ２の高さが設定されているので、フェルール端子５１ｂの基端５３ａが投影的に第２の面４３ｂと第３の面４３ｃとの間に配置される。したがって、フェルール端子５１ｂと接点部２３ｄとの接続が正しく完了しているか否かを視覚的に識別することができる。すなわち、フェルール端子５１ｂの基端５３ａが第２の面４３ｂと第３の面４３ｃとの間に位置するときは、所定の許容範囲でフェルール端子５１ｂと接点部２３ｄとの接続が正しく完了していることを示し、フェルール端子５１ｂの基端５３ａが第３の面４３ｃよりも飛び出ているときには、フェルール端子５１ｂと接点部２３ｄとの接続が正しく完了していないことを示す。
【００３２】
以上のことから、第１位置決め状態表示部４１により、長さの異なる２種類のフェルール端子５１ａ，５１ｂにおいても接点部２３ｄとの接続が正しく完了しているか否かを視覚的に識別することができる。
また、このように新たに部品を追加する必要もなく、簡易な構造で、フェルール端子５１ａ，５１ｂと接点部２３ｄとが正しく完了しているか否かを容易に識別することができる。
また、第１電線挿入口１１にフェルール端子５１ａ，５１ｂが挿入されると、フェルール端子５１ａ，５１ｂに押されて第１ばね２１が弾性変形する。そして、第１板ばね２１の保持部２１ｃと接点部２３ｄとの間にフェルール端子５１ａ，５１ｂが挿入されると、第１板ばね２１の弾性力によってフェルール端子５１ａ，５１ｂが接点部２３ｄに押し付けられ、かつ抜き方向の変位が抑制される。したがって、フェルール端子５１ａ，５１ｂの緩みや抜け落ちを抑制することができる。
【００３３】
一方、工具挿入孔１３に工具が挿入されると、工具に押されて第１板ばね２１が弾性変形し、第１板ばね２１の弾性力からフェルール端子５１ａ，５１ｂが解放される。このように、工具を用いることで、フェルール端子５１ａ，５１ｂを容易に引き抜くことができる。
第２位置決め状態表示部４２においても、第１位置決め状態表示部４１と同様の効果が得られる。
なお、上述の実施形態では、長さの異なる２つのフェルール端子５１ａ，５１ｂに対応して第１及び第２位置決め状態表示部４１，４２を３つの面４３ａ，４３ｂ，４３ｃ（２つの段差Ｓ１，Ｓ２）で構成した場合について説明したが、長さの異なる３つ以上のフェルール端子に対応させる場合には第１及び第２位置決め状態表示部４１，４２を４つ以上の面（３つの段差）で構成する。
【００３４】
また、上述の実施形態では、第１及び第２位置決め状態表示部４１，４２を３つ以上の面（２つ以上の段差）で構成した場合について説明したが、第１及び第２位置決め状態表示部は３つ以上の溝で構成してもよい。
また、上述の実施形態では、回路遮断器１に取り付けられる電線用接続器具２Ａ，２Ｂに本発明を適用した場合について説明したが、本願発明はこれに限定されるものではない。本発明は、他にも、電気機器である電磁接触器や、付属装置である端子台式の補助スイッチ、また、端子台式の警告スイッチなどにも適用することができる。
【００３５】
以上、本発明を上記一実施形態に基づき具体的に説明したが、本発明は上記一実施形態に限定されるものではなく、その要旨を逸脱しない範囲において種々変更可能であることは勿論である。
【符号の説明】
【００３６】
１…回路遮断器（電気機器）
２Ａ，２Ｂ…電線用接続器具
３…レバー開口部
４…操作レバー
１０…端子カバー
１０ａ…正面壁、１０ｃ，１０ｄ…側面壁、１０ｅ上面壁
１１…第１電線挿入口
１２…第２電線挿入口
１３…工具挿入孔
１４…隔壁
２０…端子モジュール
２１…第１板ばね
２１ａ…固定部、２１ｂ…曲げ部２１ｂ、２１ｃ…保持部
２２…第２板ばね
２２ａ…固定部、２１ｂ…曲げ部、２２ｃ…保持部
２３…端子板
２３ａ…接続部、２３ａ１…ねじ孔、２３ｂ…第１導体部、２３ｃ…第２導体部、２３ｄ…接点部
３０…端子ブロック
３０ａ〜３０ｂ…第１〜第３ブロック
３１…第１電線挿入空間部
３２…第２電線挿入空間部
３４ａ…正面壁
３４ｂ…背面壁
３４ｃ，３４ｄ…側面壁
３５…内壁
３５ａ…挿入端子位置決め部
４１…第１位置決め状態表示部
４２…第２位置決め状態表示部
４３ａ…第１の面
４３ｂ…第２の面
４３ｃ…第３の面
【図１】
2020004496.tif 000003
【図２】
2020004496.tif 000004
【図３】
2020004496.tif 000005
【図４】
2020004496.tif 000006
【図５】
2020004496.tif 000007
【図６】
2020004496.tif 000008
【図７】
2020004496.tif 000009
【図８】
2020004496.tif 000010
【図９】
2020004496.tif 000011
【図１０】
2020004496.tif 000012
【図１１】
2020004496.tif 000013